(57)【要約】【課題】構造が簡単で施工性に富み低廉であるにも拘らず、優れた制震・緩衝効果を得ることが可能な制震建物を提供することにある。【解決手段】  地震による建物の振動を減衰する制震建物であって、建物の天井部又は屋根部、床部及び壁部の全部が、複数の区画空間を形成する格子部材４，５と、各区画空間に設置された発泡プラスチックからなる制震パネル部材２とからなる。【選択図】図５
2007032020.tif 000002
【特許請求の範囲】
【請求項１】
地震による建物の振動を減衰する制震建物であって、建物の天井部又は屋根部、床部及び壁部の全部が、複数の区画空間を形成する格子部材と、該各区画空間に設置された発泡プラスチック製の制震パネル部材とからなることを特徴とする制震建物。
【請求項２】
建物床部の前記制震パネル部材が、上下部に設けられた一対の補強合板と、該各補強合板に連結された複数のリブ合板とを備え、前記補強合板及び前記リブ合板の間に、発泡プラスチックを設けてなることを特徴とする請求項１に記載の制震建物。
【請求項３】
建物壁部の前記制震パネル部材が、垂直枠材及び水平枠材を備えており、前記垂直枠材及び前記水平枠材に長手方向に沿って切欠かれた係合部が設けられ、この係合部に発泡プラスチックプレートを係合させてなることを特徴とする請求項１又は２に記載の制震建物。
【発明の詳細な説明】
【技術分野】
【０００１】
本発明は、地震の際における建築物の揺れを減衰し、建物の倒壊を防止する制震建物に関する。
【背景技術】
【０００２】
地震時における建築物の揺れを減衰、吸収するために、様々な免震、静震工法がある。この工法による免震システムとして、例えば、上部構造と下部構造との間に、ボールベアリング支承とオイルダンパーとを備えたものがある（特許文献１及び特許文献２等を参照）。又、ゴムと鋼板とを交互に重ね合せた多段積層ゴムからなる免震装置もある（例えば特許文献３参照）。しかし、このようなシステムは、構造が複雑で高価であり汎用性に欠けるという問題がある。
【特許文献１】特開２００５−４２８２２号公報
【特許文献２】特開平９−２２１８６６号公報
【特許文献３】特開平９−１１２０６４号公報
【発明の開示】
【発明が解決しようとする課題】
【０００３】
そこで、本発明が解決しようとする課題は、前記した事情に鑑みて、構造が簡単で施工性に富み低廉であるにも拘らず、優れた制震・緩衝効果を得ることが可能な制震建物を提供することにある。
【課題を解決するための手段】
【０００４】
前記した課題を解決するため、本発明に係る制震建物は、地震による建物の振動を減衰する制震建物であって、建物の天井部又は屋根部、床部及び壁部の全部が、複数の区画空間を形成する格子部材と、各区画空間に設置された発泡プラスチック製の制震パネル部材とからなる。
【０００５】
好ましくは、建物床部の制震パネル部材が、上下部に設けられた一対の補強合板と、各補強合板に連結された複数のリブ合板とを備え、補強合板及びリブ合板の間に、発泡プラスチックを設けてなる。
【０００６】
更に好ましくは、建物壁部の制震パネル部材が、垂直枠材及び水平枠材を備えており、垂直枠材及び水平枠材に長手方向に沿って切欠かれた係合部が設けられ、この係合部に発泡プラスチックプレートを係合させてなる。
【発明の効果】
【０００７】
本発明に係る制震建物は、前記した構造であって、建物の天井部又は屋根部、床部及び壁部の全部を制震パネル部材で構成し、この制震パネル部材を発泡プラスチック製とする。これによって、地震による建物全体に対する振動の外力を、発泡プラスチックの柔軟性・弾性力で緩衝・吸収することができる。即ち、発泡プラスチックは、多数の気泡を有しているので、外力のエネルギーを内部に蓄積することができ、外力が取り去られた際にエネルギーが放出され復元力が働くため、この制震パネル部材を建物全体の壁面に充填することによって、地震時の建物に対して大きな制震・緩衝効果を得ることができ、建物の倒壊を防止することができる。
【発明を実施するための最良の形態】
【０００８】
以下、添付図面に基づいて、本発明に係る制震建物の実施例について詳細に説明する。
【０００９】
図１は、本実施例に係る制震建物の天井部の説明図であって、（ａ）は斜視図、（ｂ）は天井用の制震パネル部材の断面図である。図２は、壁用の制震パネル部材を説明するために各部を分解した斜視図である。図３は、壁用の制震パネル部材の説明図であって、（ａ）は正面図、（ｂ）は側面図、（ｃ）は（ａ）のＩ−Ｉ線断面図、（ｄ）は（ａ）のＩＩ−ＩＩ線断面図である。図４は、床用の制震パネル部材の説明図であって、（ａ）は分解斜視図、（ｂ）は断面図である。
【００１０】
図１（ａ）に示すように、制震建物の天井部は、複数の横材４を平行・直交に接合して格子部材が構成され、この格子部材４で複数の区画空間６が形成されている。そして、各区画空間６に、天井用の制震パネル部材１が設置される。制震パネル部材は、発泡プラスチックからなっており、発泡プラスチックとしてビーズ法ポリスチレンフォーム（ＥＰＳ）が好ましいが、押出法ポリスチレンフォーム（ＸＰＳ）、硬質ウレタンフォーム、ポリエチレンフォーム、フェノールフォーム等でも良い。又、この発泡プラスチックは、優れた断熱性、軽量性、吸音性等を備えている。
【００１１】
図１（ｂ）の如く、天井用の制震パネル部材１は、水平方向に突出する掛止部１ａを備えている。この掛止部１ａは、制震パネル部材１の上部全周にわたって設けられている。そして、この制震パネル部材１は、発泡プラスチック１０を基材とし、掛止部１ａの上部には、合板材１１が設けられている。この合板材１１は、乾燥木材、ＬＶＬ、ＭＤＦ等である。掛止部１ａを格子部材４に載置し、ステンレス釘やボルト等の緊結金物（図示略）でこれら１ａ，４を連結する際、掛止部１ａ上部に合板材１１を設けることによって、強固且つ確実に連結することができる。又、大工等が施工する際、合板材１１の下方に格子部材４があることを認識させ、安全に移動することもできる。
【００１２】
図２及び図３の如く、壁用の制震パネル部材２は、垂直枠材２１及び水平枠材２２を備えている。この例では、３つの垂直枠材２１が、所定間隔を置いて平行に設けられ、２つの水平枠材２２が、垂直枠材２１に対して直角に、各垂直枠材２１の上端及び下端を連結している。垂直枠材２１及び水平枠材２２は、長手方向に沿ってＬ字状に切欠かれた係合部２１ａ，２２ａが設けられている。この係合部２１ａ，２２ａは、互いに対向するように配置されている。更に、垂直枠材２１は、両端及び中央に、凹状の嵌合部２１ｂが設けられている。そして、係合部２１ａ，２２ａに２つの発泡プラスチックプレート２０を係合させて、垂直枠材２１及び水平枠材２２に嵌め込んで位置固定し、更に各垂直枠材２１を跨ぐように押え板２３を嵌合部２１ｂに嵌め合わせて、発泡プラスチックプレート２０をより強固に設置、固定する。
【００１３】
そして、図３（ｃ）及び（ｄ）の如く、建物の外側には、発泡プラスチック２０に構造用合板２４が接合されており、建物の内側には、垂直枠材２１及び水平枠材２２を架け渡して構造用合板２５が接合されている。この構造用合板２４，２５も、乾燥木材、ＬＶＬ、ＭＤＦ等である。
なお、この制震パネル部材２において、発泡プラスチック２０が１つの場合は２つの垂直枠材２１が設けられ、発泡プラスチック２０が３つの場合は４つの垂直枠材２１が設けられる。
【００１４】
図４の如く、床用の制震パネル部材３は、上下部に所定の間隔を置いて設けられた一対の補強合板３１，３２と、各補強合板３１，３２を連結する複数のリブ合板３３とを備えている。更に、補強合板３１，３２及びリブ合板３３の間に、発泡プラスチック３０が充填されている。床部には大きな荷重が負荷されるので、この荷重に対する支持強度を確保するため、補強合板３１，３２及びリブ合板３３が設けられている。
【００１５】
次に、第一実施例に係る制震建物の施工工程について説明する。図５は、第一実施例に係る制震建物の各施工工程を説明するための側面図である。図６は、一階床部形成工程を説明するための斜視図である。図７は、一階壁部形成工程を説明するための斜視図である。図８は、二階床部（一階天井部）形成工程を説明するための斜視図である。図９は、図８に続く二階床部（一階天井部）形成工程を説明するための斜視図である。図１０は、二階壁部形成工程を説明するための斜視図である。図１１は、二階天井部形成工程を説明するための斜視図である。図１２は、屋根部形成工程を説明するための斜視図である。
【００１６】
先ず、一階床部の施工について説明する。図５（ａ）及び図６の如く、アンカーボルト（図示略）が埋め込まれた鉄筋コンクリートからなる基礎８０を施工する。基礎８０の上端には、基礎パッキン８０ａを設置する。そして、基礎８０の上に、土台４を設置してアンカーボルトで緊結する。土台４の、柱を接合する箇所には、ホールダウン金物等の柱脚金物８２を設ける。
【００１７】
土台４に対して直角・平行に、ドリフトピン等の連結金具（図示略）で複数の横材４’を連結する。土台４及び横材４’によって格子部材を構成し、この格子枠材４で所定の大きさの区画空間６を形成する。そして、この区画空間６に、上記した床用の制震パネル部材３を設置し、緊結金物（図示略）で格子部材４に緊結する。
【００１８】
次に、一階壁部の施工について説明する。図５（ｂ）及び図７に示すように、土台４上に、脚柱金物８２を介して、管柱５及び通し柱５’を接合する。各柱５，５’の所定箇所には、梁等の横材を接合する梁受金物８３及び接合ピン８４を設ける。そして、各柱５，５’間に区間空間６が形成され、この区間空間６に、上記した壁用の制震パネル部材２を設置する。窓等が設置される箇所には、開口部を形成した壁用の制震パネル部材２が設けられる。
【００１９】
次に、二階床部（一階天井部）を施工する。図８の如く、両端にスリット８３ａ及びピン孔８３ｂを備えた胴差４及び床梁４’を準備する。この胴差４及び床梁４’は、所定箇所に梁受金物８３及び接合ピン８４を備えている。そして、胴差４及び床梁４’のスリット８３ｂを、通し柱５’及び管柱５の梁受金物８３に嵌め、ピン孔８３ｂにドリフトピン８３ｃを挿入することにより、通し柱５’・管柱５に胴差４・床梁４’を固定する。
【００２０】
図９の如く、床梁４’に対して直角に、横材４’’を接合して、胴差４、床梁４’及び横材４’’で格子部材を構成し、この格子部材４で所定の大きさの区画空間６を形成する。その後、上記した天井用の制震パネル部材１を準備し、掛止部１ａを格子部材４に掛止させて載置し、区画空間６に制震パネル部材１を設置する。そして、緊結金物で、制震パネル部材１を格子部材４に緊結する。
【００２１】
次に、二階壁部を施工する。図５（ｃ）及び図１０の如く、前記した一階壁部と略同様の施工工程であって、胴差４に、梁受金物８３や接合ピン８４を備えた管柱５を接合し、各管柱５・通し柱５’の間に形成された区間空間６に、壁用の制震パネル部材２を設置する。
【００２２】
二階天井部の施工について説明する。図１１の如く、二階床部（一階天井部）の施工工程と略同様に、管柱５に、桁４及び小屋梁４’を平行・直角に接合して格子部材を構成し、この格子部材４で区画空間６を形成する。そして、この区画空間６に、天井用の制震パネル部材１を設置して、緊結金物で格子部材４と緊結する。その後、各制震パネル部材１間の接合部分に気密テープ（図示略）を貼り、桁４と制震パネル部材１との接合部分をコーキングして気密・水密する。
【００２３】
そして、屋根部を施工する。図５（ｄ）及び図１２の如く、天井部の上に、小屋束、母屋及び垂木からなる屋根骨組み８１を設け、この屋根骨組み８１に、野地板８２等を設置して屋根を完成させる。
【００２４】
次に、第二実施例に係る制震建物の施工工程について説明する。この実施例は、前記の第一実施例に対して、二階天井部及び屋根部が異なるので、この部分の施工工程について説明し、それ以外の部分については説明を省略する。図１３は、第二実施例に係る制震建物の施工工程を説明するための側面図である。図１４は、屋根部形成工程を説明するための斜視図である。
【００２５】
図１３及び図１４の如く、本実施例は二階天井部を有しない制震建物であって、屋根用の制震パネル部材７を屋根部に設ける。従って、二階上部の桁４上に、小屋束５を、所定間隔を置いて接合し、前記した壁部と同様、各小屋束５の間に、壁用の制震パネル部材２を設置する。そして、この上に母屋４及び垂木４’を格子状に接合して、屋根部の格子部材４を構成する。
【００２６】
屋根用の制震パネル部材７は、間隔部７ａを置いて設けられた複数の（本例では４つの）発泡プラスチック７０と、この発泡プラスチック７０を上部で連結する野地板７１とからなっている。間隔部７ａは、屋根部の格子部材４に挿入されるように配置されており、格子部材４に間隔部７ａを挿入して、制震パネル部材７を落し込み、格子部材４に敷設する。これにより、格子部材４で形成された複数の（本例では４つの）区間空間６に、発泡プラスチック７０を設置することができる。その後、緊結金物（図示略）で、これら４，７を緊結し、各制震パネル部材７の接合部分を、気密テープやコーキング等で気密・水密する。
【図面の簡単な説明】
【００２７】
【図１】本実施例に係る制震建物の天井部の説明図であって、（ａ）は斜視図、（ｂ）は天井用の制震パネル部材の断面図である。
【図２】壁用の制震パネル部材を説明するために各部を分解した斜視図である。
【図３】壁用の制震パネル部材の説明図であって、（ａ）は正面図、（ｂ）は側面図、（ｃ）は（ａ）のＩ−Ｉ線断面図、（ｄ）は（ａ）のＩＩ−ＩＩ線断面図である。
【図４】床用の制震パネル部材の説明図であって、（ａ）は分解斜視図、（ｂ）は断面図である。
【図５】第一実施例に係る制震建物の各施工工程を説明するための側面図である。
【図６】一階床部形成工程を説明するための斜視図である。
【図７】一階壁部形成工程を説明するための斜視図である。
【図８】二階床部（一階天井部）形成工程を説明するための斜視図である。
【図９】図８に続く二階床部（一階天井部）形成工程を説明するための斜視図である。
【図１０】二階壁部形成工程を説明するための斜視図である。
【図１１】二階天井部形成工程を説明するための斜視図である。
【図１２】屋根部形成工程を説明するための斜視図である。
【図１３】第二実施例に係る制震建物の施工工程を説明するための側面図である。
【図１４】屋根部形成工程を説明するための斜視図である。
【符号の説明】
【００２８】
１  天井用の制震パネル部材
２  壁用の制震パネル部材
３  床用の制震パネル部材
４，５  格子部材
６  区間空間
１０，２０，３０  発泡プラスチック
２１  垂直枠材
２２  水平枠材
３１，３２  補強合板
３３  リブ合板
【図１】
2007032020.tif 000003
【図２】
2007032020.tif 000004
【図３】
2007032020.tif 000005
【図４】
2007032020.tif 000006
【図５】
2007032020.tif 000007
【図６】
2007032020.tif 000008
【図７】
2007032020.tif 000009
【図８】
2007032020.tif 000010
【図９】
2007032020.tif 000011
【図１０】
2007032020.tif 000012
【図１１】
2007032020.tif 000013
【図１２】
2007032020.tif 000014
【図１３】
2007032020.tif 000015
【図１４】
2007032020.tif 000016